(57)【特許請求の範囲】
【請求項１】
長手方向にスリットを有する不透明な本体チューブと、内部に多数のＬＥＤを内蔵した柔軟性を有する樹脂よりなる長尺の照明体とを備え、前記照明体には少なくとも下方から前記ＬＥＤの光が出る光透過部と前記本体チューブのスリットの対向する両端面が嵌入する一対の溝を備え、前記本体チューブのスリットに前記照明体が挿通されており、前記一対の溝に前記スリットの対向する端面が嵌合されて前記本体チューブと照明体とが結合してなることを特徴とする手摺装置。
【請求項２】
前記本体チューブが波形に湾曲されてなることを特徴とする請求項１記載の手摺装置。
【請求項３】
前記ＬＥＤを光の出る部分を除き不透明または不透明に近い半透明な第１樹脂によってモールドしてなるモールド体を、透明または透明に近い不透明な第２の樹脂によってモールドしてなることを特徴とする請求項１又は２記載の手摺装置。
【請求項４】
前記第１の樹脂によって、前記ＬＥＤに電力を供給する電源ラインをモールドしたことを特徴とする請求項３記載の手摺装置。
【請求項５】
前記樹脂としてポリ塩化ビニルを用いたことを特徴とする請求項１又は２記載の手摺装置。
【請求項６】
前記ＬＥＤから出る光を下方に導く光導部が前記第１の樹脂によって構成され、この光導部には前記第２の樹脂が充填されていることを特徴とする請求項３記載の手摺装置。
【発明の詳細な説明】
【技術分野】
【０００１】  本発明は、階段や浴室やトイレ等に設置される手摺装置に関するものである。
【背景技術】
【０００２】  階段は一般家庭ばかりでなく、商業施設、駅、官公庁、社会教育施設、公園、学校、病院、街路などありとあらゆる所に存在する。そして、例えば実用新案登録第３１７４７６９号公報（特許文献１）に示されるように、これらの階段に設置される手摺に照明機能を持たせて、暗い場所や夜間階段を照らすようにすることも考えられている。【０００３】  また、特許第３６６０２９２号公報（特許文献２）に示されるように、取っ手のように使える垂直部と杖のように使える水平部を連続させた波形をした手摺も考えられ、販売されている。
【先行技術文献】
【特許文献】
【０００４】
【特許文献１】  実用新案登録第３１７４７６９号公報
【特許文献２】  特許第３６６０２９２号公報
【発明の概要】
【発明が解決しようとする課題】
【０００５】  特許文献１に示される手摺は、長尺は横木部材の表面から窪んだ溝状の取付け部を設け、ここに複数のＬＥＤを備えた帯状の照明部を取付けたものである。この手摺は、照明機能を持っているので、階段に取付けた場合、足元を照らす効果を持っている。然しながら、この手摺の横木は木材でできており、主に建物内で使用するのに適している。野外にある階段に設置する手摺の素材として木材は耐久性の点から考えて好ましくない。また、特許文献２に示される特殊な形状の手摺に照明手段を設けるには一工夫を要する。【０００６】  そこで、本発明は、特に野外の階段用として設置可能であり、特許文献２に示される特殊な手摺にも照明装置を容易に取付けることができる手摺装置を提供することを目的とする。
【課題を解決するための手段】
【０００７】
本発明の手摺装置は、長手方向にスリットを有する不透明な本体チューブと、内部に多数のＬＥＤを内蔵した柔軟性を有する樹脂よりなる長尺の照明体とを備え、前記照明体には少なくとも下方から前記ＬＥＤの光が出る光透過部と前記本体チューブのスリットの対向する両端面が嵌入する一対の溝を備え、前記本体チューブのスリットに前記照明体が挿通されており、前記一対の溝に前記スリットの対向する端面が嵌合されて前記本体チューブと照明体とが結合してなることを特徴とする。
【０００８】
また、前記本体チューブが波形に湾曲されてなることを特徴とする。
また、前記ＬＥＤを光の出る部分を除き不透明または不透明に近い半透明な第１樹脂によってモールドしてなるモールド体を、透明または透明に近い不透明な第２の樹脂によってモールドしてなることを特徴とする。
【０００９】
また、前記第１の樹脂によって、前記ＬＥＤに電力を供給する電源ラインをモールドしたことを特徴とする。
また、前記樹脂としてポリ塩化ビニルを用いたことを特徴とする。
また、前記ＬＥＤから出る光を下方に導く光導部が前記第１の樹脂によって構成され、この光導部には前記第２の樹脂が充填されていることを特徴とする。
【発明の効果】
【００１０】  以上のように、本発明の手摺装置は屋外に設置することもでき、また、屋内に設置することもでき幅広く用いることができる。そして、照明体が本体チューブと一体となっており、これによって歩行者の足元を照らすことができ、特に暗い屋外・屋内では有効である。さらに、照明体は柔軟性があるので本体チューブのスリットから挿入して照明体に設けた溝にスリットの両端面を嵌入すれば良く、両者の結合は極めて容易である。本体チューブが波状のものの場合でも容易に取付けることができる。
【図面の簡単な説明】
【００１１】
【図１】  本発明の実施の形態に係る手摺装置の側面図である。
【図２】  同手摺装置の照明体の断斜視図である。
【図３】  同照明体の原理図である。
【図４】  同照明体の製造過程を示す断正面図である。
【図５】  同照明体の製造過程を示す断正面図である。
【図６】  同手摺装置の本体チューブの一部分の断斜視部である。
【図７】  同本体チューブに照明体を取り付けた状態を示す断斜視図である。
【図８】  同手摺装置の使用状態を示す図である。
【発明を実施するための形態】
【実施例】
【００１２】  以下、本発明の実施の形態について図面とともに説明する。
図１は、本発明の実施例における手摺装置の側面図である。この手摺装置は本体チューブ１と照明体２及び両端に設けられたカバー３ａ，３ｂとから成っている。本体チューブ１は波形をしており、上方に湾曲した湾曲部４ａと下方に湾曲した湾曲部４ｂとの間に直線部５を有している。【００１３】  本体チューブ１はステンレスやアルミニューム等の金属を加工して製造されている。具体的には図６に示すように、本体チューブ１の長手方向に照明体２取付用のスリット６が設けられたものである。直線状の金属チューブを波形に加工し、その後、スリット６を加工する。樹脂加工により本体チューブ１を製造することも可能である。アルミニュームの芯材に樹脂のチューブを被せたものも使用できる。【００１４】  照明体２は、第２図に示す形状をしている。照明ランプとしてはＬＥＤ７が用いられており、端子８ａ，８ｂは電源ライン９ａ，９ｂにリード線１０ａ，１０ｂによって接続されている。これらＬＥＤ７、電源ライン９ａ，９ｂ、リード線１０ａ，１０ｂは第１の樹脂１１によってモールドされている。ＬＥＤ７の先端部１２は樹脂１１でモールドされていない。第１の樹脂１１は断面Ｈ状をしており、ＬＥＤの先端（光の出る部分）は第１の樹脂１１の凹部（光導部）１３の最奥部に存在するよう構成されている。【００１５】  第１の樹脂１１は不透明なポリ塩化ビニル（ＰＶＣ）を用いるのが良い。ＰＶＣは燃えにくく、添加材を加えることにより軟質から硬質まで、また透明から不透明まで幅広い特性を持たせることができ、常用耐熱温度は６０〜８０℃である。第１の樹脂１１は柔軟性を持たせてあり、不透明か不透明に近い半透明のものが用いられる。これによりＬＥＤ７の光は凹部１３から外部に出るようになる。【００１６】  第１の樹脂１１はさらに全体が第２の樹脂１４でモールドされている。前記凹部１３にも第２の樹脂１４が充填されることになる。この第２の樹脂１４の下方両側部には、図６に示されるスリット６の端面１５ａ，１５ｂが嵌入する溝１６ａ，１６ｂが設けられている。そして、第２の樹脂の最下端部は湾曲部１７となっており、本体チューブ１のスリット６を覆うようになっている。第２の樹脂１４も第１の樹脂１１と同様柔軟性を有するポリ塩化ビニルを用いるが、透明又は透明に近い半透明の材料を用いる。第１の樹脂１１、第２の樹脂１４をともに半透明材料とした場合、当然第２の樹脂１４の方が第１の樹脂１１よりも透明に近い。【００１７】  次にこの照明体２の作り方について説明する。長尺のシート１７に多数個のＬＥＤ７が設けられている。これらのＬＥＤ７は複数個のＬＥＤを直列接続した複数の直列接続体１８に分けられている。そしてこれらの直列接続体１８は電源ライン９ａ，９ｂに並列接続されている。電源ライン９ａ，９ｂは後でスイッチ２１、抵抗１９を介して直流電源２０に接続される。ＬＥＤ７は１メートルにつき８０個程度設ける。そしてＬＥＤ７の消費電力はＬＥＤ一個につき０．０６ワットのものを用いる。【００１８】  このＬＥＤ７，を設けたシート１７と電源ライン９ａ，９ｂを図４に示すように金型２２ａ，２２ｂに入れ、樹脂挿入口２３より不透明なポリ塩化ビニルを注入し固まらせる。電源ライン９ａ，９ｂの両端は金型２２ａ，２２ｂより外部に出しておく。次に、このように構成されたものを、図５に示す金型２４ａ，２４ｂ，２４ｃ，２４ｄに設置し、樹脂注入口２５，２５ａ，２５ｂより透明または半透明なポリ塩化ビニルを注入し固まらせる。金型２４ａ，２４ｂ，２４ｃ，２４ｄを除去すると図２に示す照明体２が得られる。【００１９】  この照明体２は図７に示すように照明体２の溝１６ａ，１６ｂに本体チューブ１のスリット６の端面１５ａ，１５ｂを挿入し本体チューブと１と照明体２を結合する。スイッチ２１を入れるとＬＥＤ７全てが点灯し第１の樹脂１１の凹部１３を通って光は照明体２の下端より外部にでる。【００２０】  本体チューブ１は図１のように波形をしているが、照明体２は柔軟性を有しているので、本体チューブ１のスリット６から照明体２を挿入して、溝１６ａ，１６ｂと本体チューブ１を結合することができる。
もちろん、本体チューブ１は波形の特殊なものでなく直線状のものでも実施することができる。【００２１】  この手摺装置は図８に示すように、階段２６に沿って壁面に取付け金具２７で取付けて利用される。本体チューブ１は湾曲部４ａ，４ｂ、と直線部分５があるので、図８からも分かるように、水平部２８と垂直部２９ができ、階段２６を登る人は水平部２８を杖代わりに垂直部２９を握って引っ張るようにすることで楽に階段を上がることができる。
この手摺装置は屋外に設置することもでき、また、屋内に設置することもできる。そして、照明体２が一体となっているので歩行者の足元を照らすことができ、特に暗い屋外では有効である。さらに、照明体２は柔軟性があるので本体チューブ１のスリット６から挿入して容易に取付けることができる。本体チューブ１が波形のものの場合でも容易に取付けることができる。
【産業上の利用可能性】
【００２２】  本発明の手摺装置は、特に屋外の階段の手摺として使用して有効である。
【符号の説明】
【００２３】１：本体チューブ
２：照明体
３ａ，３ｂ：カバー
４ａ，４ｂ：湾曲部
５：直線部
６：スリット
７：ＬＥＤ
８ａ，８ｂ：端子
９ａ，９ｂ：電源ライン
１０ａ，１０ｂ：リード線
１１：第１の樹脂
１２：先端部
１３：凹部
１４：第２の樹脂
１５ａ，１５ｂ：端面
１６ａ，１６ｂ：溝
１７：シート
１８：直列接続体
１９：抵抗
２０：直流電源
２１：スイッチ
２２ａ，２２ｂ：金型
２３：樹脂注口
２４ａ，２４ｂ，２４ｃ，２４ｄ：金型
２５，２５ａ，２５ｂ：樹脂注入口
２６：階段
２７：取付金具
２８：水平部
２９：垂直部
【図１】
0005955829.tif 000002
【図２】
0005955829.tif 000003
【図３】
0005955829.tif 000004
【図４】
0005955829.tif 000005
【図５】
0005955829.tif 000006
【図６】
0005955829.tif 000007
【図７】
0005955829.tif 000008
【図８】
0005955829.tif 000009